【手続補正書】
【提出日】平成23年5月30日(2011.5.30)
【手続補正１】
【補正対象書類名】特許請求の範囲
【補正対象項目名】全文
【補正方法】変更
【補正の内容】
【特許請求の範囲】
【請求項１】
電気的に直列に接続された複数の蓄電器を有する蓄電モジュールが電気的に直列に接続された複数の蓄電モジュールのそれぞれに対応して設けられ、対応する蓄電モジュールが有する複数の蓄電器のそれぞれの端子電圧を検出すると共に、信号を電気信号の状態で直列に伝送する信号伝送路が構成されるように、電気的に直列に接続されて用いられる集積回路であって、
対応する蓄電モジュールが有する複数の蓄電器のそれぞれの端子電圧を受けるための複数の電圧検出端子と、
前記複数の電圧検出端子を介して受けた前記複数の蓄電器の端子電圧から、検出する端子電圧を選択する選択回路と、
前記選択回路によって選択された蓄電器の端子電圧をディジタル値に変換するＡ／Ｄコンバータと、
ロジック回路と、
前記ロジック回路から出力された信号によって動作し、前記ロジック回路から出力された信号を前記信号伝送路に電気信号の状態で出力する信号出力回路と、
前記信号伝送路を介して、電気信号の状態で伝送される信号によって動作し、前記信号伝送路を介して、電気信号の状態で伝送される信号を前記ロジック回路に入力する信号入力回路と、を有する
ことを特徴とする集積回路。
【請求項２】
請求項１に記載の集積回路において、
さらに、基準電位を定めるためのＧＮＤ端子と、
所定の電圧を発生するための電源回路と、
前記電源回路の出力部に電気的に接続されたＶＤＤ端子と、を有する
ことを特徴とする集積回路。
【請求項３】
請求項２に記載の集積回路において、
前記信号伝送路が構成されるように、電気的に直列に接続されたとき、前記ＶＤＤ端子と前記ＧＮＤ端子との間にはキャパシタが電気的に接続される
ことを特徴とする集積回路。
【請求項４】
請求項２又は３に記載の集積回路において、
前記ＶＤＤ端子と前記ＧＮＤ端子との間にはツェナーダイオードが設けられている
ことを特徴とする集積回路。
【請求項５】
請求項２乃至４のいずれかに記載の集積回路において、
前記複数の電圧検出端子は、
対応する蓄電モジュールが有する複数の蓄電器のうちの最も高電位の蓄電器の正極端子と電気的に接続される最高位電圧検出端子と、
対応する蓄電モジュールが有する複数の蓄電器のうちの最も低電位の蓄電器の負極端子と電気的に接続される最低位電圧検出端子と、を含んでおり、
前記ＧＮＤ端子は、前記最低位電圧検出端子とは別に設けられている
ことを特徴とする集積回路。
【請求項６】
請求項１乃至５のいずれかに記載の集積回路において、
長方形の形状を成しており、
前記長方形の一辺には前記複数の電圧検出端子が配置されており、
前記複数の電圧検出端子は、前記長方形の一辺において、対応する蓄電モジュールが有する複数の蓄電器のうちの最も低電位の蓄電器の負極端子と接続される最低位電圧検出端子が一方側に、対応する蓄電モジュールが有する複数の蓄電器のうちの最も高電位の蓄電器の正極端子と接続される最高位電圧検出端子が他方側に、それぞれ配置されると共に、前記最低位電圧検出端子から前記最高位電圧検出端子に向かって、低電位側の蓄電器から高電位側の蓄電器の電位に沿う順、かつ負極端子の次に正極端子がくる順に残りの電圧検出端子が配置さるように設けられている
ことを特徴とする集積回路。
【請求項７】
請求項６に記載の集積回路において、
さらに、対応する蓄電モジュールが有する複数の蓄電器のそれぞれの充電状態を調整するための容量調整信号を発生する容量調整用回路と、
対応する蓄電モジュールが有する複数の蓄電器のそれぞれに対応して設けられ、前記容量調整信号を出力する複数の容量調整用端子と、を有し、
前記複数の容量調整用端子はそれぞれ、対応する蓄電器の負極端子と正極端子とに電気的に接続される電圧検出端子の間に配置されている
ことを特徴とする集積回路。
【請求項８】
請求項２乃至５のいずれかに記載の集積回路において、
長方形の形状を成しており、
前記長方形の一辺には前記複数の電圧検出端子が配置されており、
前記複数の電圧検出端子は、前記長方形の一辺において、対応する蓄電モジュールが有する複数の蓄電器のうちの最も低電位の蓄電器の負極端子と接続される最低位電圧検出端子が一方側に、対応する蓄電モジュールが有する複数の蓄電器のうちの最も高電位の蓄電器の正極端子と接続される最高位電圧検出端子が他方側に、それぞれ配置されると共に、前記最低位電圧検出端子から前記最高位電圧検出端子に向かって、低電位側の蓄電器から高電位側の蓄電器の電位に沿う順、かつ負極端子の次に正極端子がくる順に残りの電圧検出端子が配置されるように設けられており、
前記ＶＤＤ端子は前記他方側に配置されており、
基準電位を定めるためのＧＮＤ端子は前記一方側に配置されている
ことを特徴とする集積回路。
【請求項９】
請求項１乃至８のいずれかに記載の集積回路において、
前記Ａ／Ｄコンバータは誤差補正回路を有している
ことを特徴とする集積回路。
【請求項１０】
請求項９に記載の集積回路において、
さらに、前記Ａ／Ｄコンバータの誤差を校正する信号を受ける校正端子を有し、
前記Ａ／Ｄコンバータは、前記校正端子を介して供給された校正情報に基づいて、校正された検出値を出力する
ことを特徴とする集積回路。
【請求項１１】
請求項９に記載の集積回路において、
前記Ａ／Ｄコンバータは補正ロジック回路を有すると共に、前記補正ロジック回路の動作に基づいて、検出値を補正する
ことを特徴とする集積回路。
【請求項１２】
請求項１乃至１１のいずれかに記載の集積回路において、
前記電源回路は、対応する蓄電モジュールから電圧の供給を受けて、前記信号出力回路に所定の電圧を供給する
ことを特徴とする集積回路。
【請求項１３】
請求項１乃至１２のいずれかに記載の集積回路において、
電気的に直列に接続されて用いられたとき、前記信号伝送路が複数構成されるように、前記前記信号入力回路に電気的に接続された信号入力端子と、前記信号出力回路に電気的に接続された信号出力端子とを複数有している
ことを特徴とする集積回路。
【請求項１４】
請求項１乃至５のいずれかに記載の集積回路において、
さらに、対応する前記蓄電モジュールが有する複数の蓄電器のそれぞれに対応して設けられ、対応する蓄電器の容量調整に用いられる複数の容量調整端子を有し、
前記複数の電圧検出端子及び前記複数の容量調整端子は、前記電圧検出端子と前記容量調整端子とが交互に配置されるように設けられている
ことを特徴とする集積回路。
【請求項１５】
請求項１乃至５のいずれかに記載の集積回路において、
さらに、対応する前記蓄電モジュールが有する複数の蓄電器のそれぞれに対応して設けられ、対応する蓄電器の充電状態の調整を制御するときに用いられる複数の容量調整端子を有し、
前記複数の電圧検出端子及び前記複数の容量調整端子は、前記蓄電器の正極と電気的に接続される電圧検出端子と、前記蓄電器の負極と電気的に接続される電圧検出端子との間に、前記蓄電器の容量調整に用いられる容量調整端子が配置されるように設けられている
ことを特徴とする集積回路。
【請求項１６】
請求項１乃至５のいずれかに記載の集積回路において、
さらに、対応する前記蓄電モジュールが有する複数の蓄電器のそれぞれに対応して設けられ、対応する蓄電器の充電状態の調整を制御するときに用いられる複数の容量調整端子を有し、
前記複数の電圧検出端子及び前記複数の容量調整端子は、前記蓄電器の正極と電気的に接続される電圧検出端子と、前記蓄電器の負極と電気的に接続される電圧検出端子と、それらの間に配置され、前記蓄電器の容量調整に用いられる容量調整端子とを備えてなる端子組が複数、前記複数の蓄電器が接続される順にしたがって配置されるように設けられている
ことを特徴とする集積回路。
【手続補正２】
【補正対象書類名】明細書
【補正対象項目名】００１４
【補正方法】変更
【補正の内容】
【００１４】
（１）上記目的を達成するため、本発明は、電気的に直列に接続された複数の蓄電器を有する蓄電モジュールが電気的に直列に接続された複数の蓄電モジュールのそれぞれに対応して設けられ、対応する蓄電モジュールが有する複数の蓄電器のそれぞれの端子電圧を検出すると共に、信号を電気信号の状態で直列に伝送する信号伝送路が構成されるように、電気的に直列に接続されて用いられる集積回路であって、対応する蓄電モジュールが有する複数の蓄電器のそれぞれの端子電圧を受けるための複数の電圧検出端子と、前記複数の電圧検出端子を介して受けた前記複数の蓄電器の端子電圧から、検出する端子電圧を選択する選択回路と、前記選択回路によって選択された蓄電器の端子電圧をディジタル値に変換するＡ／Ｄコンバータと、ロジック回路と、前記ロジック回路から出力された信号によって動作し、前記ロジック回路から出力された信号を前記信号伝送路に電気信号の状態で出力する信号出力回路と、前記信号伝送路を介して、電気信号の状態で伝送される信号によって動作し、前記信号伝送路を介して、電気信号の状態で伝送される信号を前記ロジック回路に入力する信号入力回路と、を有するものである。 
かかる構成により、低コストな集積回路とし得るものとなる。